(57)【要約】撮像システム（１５４）を介して移動している物体（１５２）からの光が集められ、分散され、物体の移動軸に対して傾斜している時間遅延積分（ＴＤＩ）検出器（１４８）上に結像され、ピクシレーション出力信号を生成する。一実施形態では、ＴＤＩ検出器（１４８）全体にわたる映像物体の移動が出力信号の移動と非同期であり、焦点面に沿って変動する焦点で物体の映像の複合体である出力信号を生成する。他の一実施形態では、物体からの光が、傾斜したＴＤＩ上に周期的に入射し、複数の離間された映像と、それに対応する、ＴＤＩ検出器（１４８）を横切って伝播する出力信号とを生成する。傾斜した平面は、ＦＩＳＨプローブまたは物体内の他の成分の映像が異なる焦点で生成されることを可能にし、それにより、ＦＩＳＨプローブ間または成分間の３Ｄ空間関係を解像することができる。
2004507743.tif 000002
【特許請求の範囲】
【請求項１】
物体を通過する傾斜焦点面に沿って形成された前記物体の少なくとも１つの映像に対応する少なくとも１つの出力信号を得るためのシステムであって、前記物体と前記システム間に相対運動があり、
（ａ）撮像経路に沿って前記物体から光を受けるように配置され、ＴＤＩ検出器の平面が前記撮像経路と直角をなさないように前記撮像経路に対してある角度で傾斜したＴＤＩ検出器の前記平面上で前記物体の前記少なくとも１つの映像を形成し、前記角度が傾斜焦点面の角度を決定する、時間遅延積分（ＴＤＩ）検出器と、
（ｂ）前記物体と前記ＴＤＩ検出器の間に配置され、前記物体から移動する光が前記撮像経路に沿って導かれ、それに応答して前記ＴＤＩ検出器の前記平面上で前記物体の前記少なくとも１つの映像を形成するように配向された光学要素とを具備し、前記ＴＤＩ検出器が、
（ｉ）前記傾斜焦点面に相対的な前記物体の映像に対応する出力信号であって、前記傾斜焦点面に沿って撮影された、前記物体内の様々な焦点位置で前記物体から来る光の複合体であり、前記様々な焦点位置で前記物体の少なくとも１つの特徴を示す出力信号と、
（ｉｉ）各出力信号が、前記傾斜焦点面に沿って異なる焦点位置に相対的な前記ＴＤＩ検出器の前記平面上で形成された前記物体の映像に対応する複数の出力信号であって、前記傾斜焦点面に沿って、前記物体内の様々な焦点位置で前記物体の少なくとも１つの特徴を示す複数の出力信号のうち一方を生成することを特徴とするシステム。
【請求項２】
前記ＴＤＩ検出器が、電荷結合素子、相補型金属酸化膜半導体、マルチチャネルプレート撮像デバイスのうち１つを具備することを特徴とする、請求項１に記載のシステム。
【請求項３】
前記ＴＤＩ検出器が、ピクシレーション出力信号を生成する複数の光感応性ピクセルを具備することを特徴とする、請求項１に記載のシステム。
【請求項４】
前記複数の光感応性ピクセルが、前記ＴＤＩ検出器の前記平面内で四辺形アレイの形に概ね配列されていることを特徴とする、請求項３に記載のシステム。
【請求項５】
前記出力信号が、前記四辺形アレイの行と列のうち一方から読み取られることを特徴とする、請求項４に記載のシステム。
【請求項６】
前記出力信号が、前記物体と前記システム間の相対運動によって決定される速度および方向で、前記ＴＤＩ検出器全体にわたって伝播することを特徴とする、請求項１に記載のシステム。
【請求項７】
前記出力信号が、前記ＴＤＩ検出器上で形成される対応する前記物体の映像の速度と実質的に同期している速度で、前記ＴＤＩ検出器全体にわたって伝播することを特徴とする、請求項１に記載のシステム。
【請求項８】
前記出力信号が、前記ＴＤＩ検出器上で形成される対応する前記物体の映像の速度と実質的に非同期である速度で、前記ＴＤＩ検出器全体にわたって伝播することを特徴とする、請求項１に記載のシステム。
【請求項９】
前記物体の各映像が、前記映像とそれに応答して生成される前記出力信号が前記ＴＤＩ検出器の１ピクセル未満だけ発散するように十分短い時間で前記ＴＤＩ検出器上に形成されることを特徴とする、請求項８に記載のシステム。
【請求項１０】
前記複数の出力信号が前記ＴＤＩ検出器の前記平面の上で十分に離間され、それにより前記複数の出力信号が重畳しないことを特徴とする、請求項１に記載のシステム。
【請求項１１】
前記ＴＤＩ検出器の前記平面全体にわたって伝播する前記出力信号の速度が、前記出力信号が伝播する一部分の時間の間、前記ＴＤＩ検出器上で形成される対応する映像の速度と同期し、他の一部分の時間の間、前記対応する映像の前記速度と非同期であることを特徴とする、請求項１に記載のシステム。
【請求項１２】
前記物体を周期的に照明するパルス光源をさらに具備することを特徴とする、請求項１に記載のシステム。
【請求項１３】
前記物体が、流動する流体内で連行されていることを特徴とする、請求項１に記載のシステム。
【請求項１４】
前記物体と前記システムのうち一方が静止していることを特徴とする、請求項１に記載のシステム。
【請求項１５】
前記システムと前記物体が共に運動していることを特徴とする、請求項１に記載のシステム。
【請求項１６】
前記撮像経路内に配置されたシャッタとゲートのうち一方をさらに具備し、前記一方の前記シャッタおよび前記ゲートが、周期的に前記物体からの光が前記ＴＤＩ検出器に達することを可能にすることを特徴とする、請求項１に記載のシステム。
【請求項１７】
前記一方の前記シャッタおよび前記ゲートが、前記ＴＤＩ検出器と前記物体間に配置されていることを特徴とする、請求項１６に記載のシステム。
【請求項１８】
前記光を分光成分に分散させるために前記撮像経路内に配置された分散要素をさらに具備し、前記分光成分が、前記物体の前記少なくとも１つの特徴を示すことを特徴とする、請求項１に記載のシステム。
【請求項１９】
物体の少なくとも１つの特徴を決定するための方法であって、
（ａ）前記物体から時間遅延積分（ＴＤＩ）検出器の概ね平坦な表面上に光を導いて前記物体の映像を形成し、前記概ね平坦な表面が、それに沿って前記物体からの前記光が前記ＴＤＩ検出器上に導かれる軸に対して傾斜しており、前記ＴＤＩ検出器が、前記物体を通過する傾斜焦点面に沿って少なくとも１点で前記物体の映像に対応する出力信号を生成し、前記傾斜焦点面が前記ＴＤＩ検出器の前記平坦な表面に対して傾斜しており、それにより前記傾斜焦点面が経時的に前記物体内の様々な焦点で前記物体を横切るステップと、
（ｂ）前記物体内の前記少なくとも１つの焦点で前記物体の前記少なくとも１つの特徴を示す前記出力信号を前記ＴＤＩ検出器から読み取るステップとを含むことを特徴とする方法。
【請求項２０】
前記光を導く前記ステップが、前記物体と前記ＴＤＩ検出器の間に配置された光学要素を用いて前記光を集束するステップを含むことを特徴とする、請求項１９に記載の方法。
【請求項２１】
前記光を導く前記ステップが、前記物体からの前記光を分光成分に分散して、前記ＴＤＩ検出器の前記概ね平坦な表面上で前記物体の分光映像を形成するステップを含むことを特徴とする、請求項１９に記載の方法。
【請求項２２】
定義された速度で前記ＴＤＩ検出器全体にわたって前記出力信号を伝播させるステップをさらに含むことを特徴とする、請求項１９に記載の方法。
【請求項２３】
前記物体と前記ＴＤＩ検出器間に相対運動があることを特徴とする、請求項２２に記載の方法。
【請求項２４】
前記出力信号が、前記物体と前記ＴＤＩ検出器間の相対運動の方向と概ね位置合わせされた経路に沿って、前記ＴＤＩ検出器全体にわたって伝播することを特徴とする、請求項２３に記載の方法。
【請求項２５】
前記ＴＤＩ検出器全体にわたって前記出力信号の前記定義された速度が、前記ＴＤＩ検出器上で形成された前記物体の前記映像の速度に実質的に等しいことを特徴とする、請求項２３に記載の方法。
【請求項２６】
前記ＴＤＩ検出器を前記物体からの前記光に周期的にさらすステップをさらに含むことを特徴とする、請求項２３に記載の方法。
【請求項２７】
前記出力信号が、前記物体の連続する映像が前記出力信号と重畳するのを防ぐのに十分な速度で前記ＴＤＩ検出器全体にわたって伝播することを特徴とする、請求項２６に記載の方法。
【請求項２８】
前記出力信号を読み取る前記ステップが、前記ＴＤＩ検出器の行と列のうち一方から電圧を読み取るステップを含むことを特徴とする、請求項１９に記載の方法。
【請求項２９】
前記物体の前記少なくとも１つの特徴が、
（ａ）前記物体上で配置された蛍光ｉｎ−ｓｉｔｕハイブリダイゼーション（ＦＩＳＨ）プローブの存在と、
（ｂ）前記物体内の複数のＦＩＳＨプローブの存在と、
（ｃ）前記物体内の少なくとも１つのＦＩＳＨプローブの位置のうち１つを検出するステップを含むことを特徴とする、請求項１９に記載の方法。
【請求項３０】
経時的に前記出力信号の強度を決定するステップをさらに含むことを特徴とする、請求項１９に記載の方法。
【請求項３１】
前記物体の前記映像が前記傾斜焦点面に沿って様々な焦点で変動するとき、複合出力信号を形成するステップをさらに含むことを特徴とする、請求項１９に記載の方法。
【請求項３２】
各出力信号が前記傾斜焦点面に沿って異なる焦点で前記物体の異なる映像に対応する、複数の様々な出力信号を生成するステップであって、前記複数の様々な出力信号が、互いに重畳するのを回避するように前記ＴＤＩ検出器全体にわたって十分に離間されているステップをさらに含むことを特徴とする、請求項１９に記載の方法。
【請求項３３】
物体の映像に対応する、かつ前記物体の少なくとも１つの特徴を示す出力信号を得るためのシステムであって、前記物体と前記システム間に相対運動があり、
（ａ）撮像経路に沿って前記物体から光を受けるように配置され、ＴＤＩ検出器の平面が、前記撮像経路に対して直交しない角度で傾斜し、かつ前記相対運動の方向に対して傾斜している時間遅延積分（ＴＤＩ）検出器であって、前記ＴＤＩ検出器全体にわたって伝播し、かつ前記物体を通過する傾斜焦点面に沿って少なくとも１つの焦点でＴＤＩ検出器上に形成された前記物体の映像に対応する出力信号を生成するＴＤＩ検出器と、
（ｂ）前記物体と前記ＴＤＩ検出器の間に配置され、前記物体から移動する光が前記撮像経路に沿って前記ＴＤＩ検出器の前記表面上に導かれ、前記ＴＤＩ検出器上で前記物体の前記映像を形成し、前記ＴＤＩ検出器からの前記出力信号が、前記物体内の前記少なくとも１つの焦点で前記物体の前記少なくとも１つの特徴を示すように配向された光学要素とを具備することを特徴とするシステム。
【請求項３４】
前記物体の映像および前記出力信号が、実質的に同じ速度で前記ＴＤＩ検出器全体にわたって伝播することを特徴とする、請求項３３に記載のシステム。
【請求項３５】
前記出力信号が、前記物体を通過する前記傾斜焦点面によって定義される変動する焦点距離で前記ＴＤＩ検出器上に形成された前記物体の前記映像に対応する複合出力信号を含むことを特徴とする、請求項３４に記載のシステム。
【請求項３６】
前記ＴＤＩ検出器が、前記物体を通過する前記傾斜焦点面に沿って複数の焦点で、前記ＴＤＩ検出器上に形成された前記物体の複数の映像に対応する複数の出力信号を生成することを特徴とする、請求項３３に記載のシステム。
【請求項３７】
前記物体の複数の映像に対応する前記複数の出力信号が、前記複数の出力信号のどれも重畳しないように選択された速度で前記ＴＤＩ検出器全体にわたって伝播することを特徴とする、請求項３６に記載のシステム。
【請求項３８】
前記物体の複数の映像に対応する前記複数の出力信号が、前記物体の３次元表現を定義することを特徴とする、請求項３６に記載のシステム。
【請求項３９】
前記ＴＤＩ検出器が、電荷結合素子、相補型金属酸化膜半導体、マルチチャネルプレート撮像デバイスのうち１つを具備することを特徴とする、請求項３３に記載のシステム。
【請求項４０】
前記ＴＤＩ検出器が、ピクシレーション出力信号を生成する複数の光感応性ピクセルを具備することを特徴とする、請求項３３に記載のシステム。
【請求項４１】
前記複数の光感応性ピクセルが、前記ＴＤＩ検出器の前記平面内で四辺形アレイの形に概ね配列されていることを特徴とする、請求項３９に記載のシステム。
【請求項４２】
前記出力信号が、前記四辺形アレイの行と列のうち一方から読み取られることを特徴とする、請求項４４に記載のシステム。
【請求項４３】
前記物体が、流動する流体内で連行されていることを特徴とする、請求項３３に記載のシステム。
【請求項４４】
前記撮像経路内に配置されたシャッタとゲートのうち一方をさらに具備し、周期的に前記物体からの光が前記ＴＤＩ検出器に達することを可能にすることを特徴とする、請求項３３に記載のシステム。
【請求項４５】
前記一方の前記シャッタおよび前記ゲート付きイメージ増倍管が、前記ＴＤＩ検出器を光から遮蔽すること、および前記ＴＤＩ検出器を光にさらすことの間で交互に切り替わることを特徴とする、請求項４４に記載のシステム。
【請求項４６】
前記光を分光成分に分散させるために前記撮像経路内に配置された分散要素をさらに具備することを特徴とする、請求項３３に記載のシステム。
【発明の詳細な説明】
【０００１】
（関連出願）
本出願は、２０００年８月２５日に出願された先の同時係属仮出願第６０／２２８，０７８号に基づくものであり、米国特許法第１１９条（ｅ）に基づいてその出願日の特典をここに主張する。
【０００２】
（発明の分野）
本発明は、検出および分析のために物体または粒子を撮像することに関し、より詳細には、運動している可能性のある細胞など物体の３次元構造、内容、分光組成を分析するためのシステムおよび方法に関する。
【０００３】
（発明の背景）
細胞および粒子分析技術における制限のために現在実施できない生物学的、医学的処置がいくつかある。そのような処置の例には、既知の毒素と未知の毒素を共に戦場で検出および監視すること、末梢血液内の希な細胞（発生率の低い細胞）の検出および分析を介した非侵襲性の出生前遺伝子テストおよび日常癌検診、および高スループットの細胞アッセイを介した薬物発見が含まれる。
【０００４】
新しい医学的、生物学的処置は、現存するものより進歩した細胞分析機能をますます必要としている。一例は、化学療法を最適化するための腫瘍細胞の遺伝子構造における変化の分析である。腫瘍細胞は、染色体数の変動、化学療法に耐性のある遺伝子の増幅、または遺伝子発現調節の変化など、異常なＤＮＡ変化を示すことがある。これらの変化は、細胞内の特定のＤＮＡ配列に結び付く蛍光Ｉｎ−Ｓｉｔｕハイブリダイゼーション（ＦＩＳＨ）プローブを使用して検出することができる。ＦＩＳＨ分析は、細胞の核内で異なるＦＩＳＨ位置の数を、理想的には３次元で正確に決定することを必要とする。本願の譲受人に譲渡された米国特許出願第０９／４９０，４７８号は、細胞内でＦＩＳＨスポットを正確に計数するために高い開口数を有する、複数の角度から流体懸濁細胞を見るための立体撮像装置の使用について述べている。この技法は、スライドに載置されたサンプル、またはマイクロ流体チップ上のサンプルに適用することができるが、直交集光系（ｏｒｔｈｏｇｏｎａｌ ｃｏｌｌｅｃｔｉｏｎ ｓｙｓｔｅｍｓ）を平坦なサンプル基板に結合することが困難なため、一般により低い開口数を伴うものである。明らかに、高い開口数で集光を可能にするために、単一の集光系を用いてスライド上の、またはマイクロキャピラリ内の細胞の３次元（３Ｄ）撮像を実施することが好ましいであろう。
【０００５】
平坦な基板上の細胞内のＦＩＳＨスポット数を最も正確に決定することは、現在、細胞の奥行きを跨いで様々な焦点面で撮影された高解像度の蛍光映像に基づいている。得られた２次元（２Ｄ）映像のセットを、細胞の３次元（３Ｄ）表現に再構築し、単一の映像内で重ね合わされたＦＩＳＨスポットが複数の映像を跨いで確実に解像されるように、映像平面群内で、また映像平面群を跨いでＦＩＳＨスポットを計数する。そのような映像積重ね技法は、重ね合わされたＦＩＳＨスポットを効果的に解像することができるが、３Ｄ細胞撮像のための既存のシステムは低速であり、各３Ｄ複合体を作成するのに数分を必要とすることがしばしばである。その結果、様々な２Ｄ映像が広く異なる時刻で収集され、撮像プロセスの過程にわたって細胞が変化することにより、得られる３Ｄ表現が変わる。さらに、そのようなシステムは、撮像プロセス中の細胞の移動に耐えることができず、スライド上で不動にされた固定細胞だけにその適用を制限する。改良されたシステムは、運動中の細胞を含めて、細胞の迅速な３Ｄ撮像を可能にすることになる。
【０００６】
したがって、上記で論じた従来手法によって課された静止している細胞と移動している細胞の３次元フィーチャを分析する際の制限を解決する改良された技法が望ましいことは明らかであろう。さらに、従来技術におけるこれらの問題に対処するために開発された新しい手法はまた、細胞を除いて他のタイプの物体の分析に応用例を有するべきであり、この技術の異種の応用例の特定要件を満たすように、様々な構成での実施に応じることができるべきである。
【０００７】
（発明の概要）
本発明は、物体の映像から物体の１つまたは複数の特徴を決定するように適合された撮像方法およびシステムを対象とする。物体と撮像システム間で相対移動がある可能性があり、また、いずれか（または両方）が運動している可能性があることを企図しているが、撮像システムが定位置で固定されている間に物体が移動することになることが好ましい。さらにまた、以下の開示の多数が「１つの物体」を引用するが、本発明は複数の物体と共に使用されることが好ましく、基板内で、たとえば狭いキャピラリ内で物体の流れ、または移動している物体を撮像することと共に特に有用である可能性があることを理解されたい。また、本明細書または特許請求の範囲では、「映像」または「撮像」という用語が広く適用され、検出器の表面上に向けて送られる１つの物体または複数の物体からの光を広く指すものとすることを理解されたい。したがって、これらの用語は、検出器の表面上で散乱され、分散され、またはぼけた１つの物体または複数の物体からの光、ならびに検出器の表面上に集束された１つの物体または複数の物体からの光、および検出器の表面上に入射する１つまたは複数の分光成分に分割された１つの物体または複数の物体からの光を包含するものとする。
【０００８】
本発明は、生物戦争病原体検出、出生前診断、癌検診、薬物発見、および他の応用例などの目的で、３次元での細胞の迅速な分析に適用することができる。そのような機能的能力を達成するために、本発明は、移動している、または静止している細胞内の複数の焦点位置から映像データを収集する。さらに、これらのデータは、高い分光および空間解像度と共に広い分光領域にわたって取得することができる。本発明は、物体から集められた分光情報の空間的な原点を保存し、物体から発出される同じ、または異なる小さな着色光源の弁別を可能にする。これらの課題を達成するために、本発明は、時間遅延積分（ＴＤＩ）撮像、同期および非同期信号生成の新規な組み合わせを使用し、検出器の向きが傾斜した、また場合によってスペクトル分散要素を有する光学系を使用する。
【０００９】
本発明の様々な実施形態で使用されるＴＤＩ検出器は、様々な専門のピクセル読出しアルゴリズムを使用する方形の電荷結合素子（ＣＣＤ）を具備することが好ましい。標準的な非ＴＤＩのＣＣＤアレイは、カメラ内で２Ｄ撮像用として一般に使用されている。標準的なＣＣＤアレイでは、光感応性要素（映像の１つの画素に対応し、したがって本明細書では「ピクセル」と称する）上に入射する光子が、要素内でトラップされる電荷を発生する。映像取得後、各光感応性ピクセルからの光子電荷が出力コンデンサ内に読み込まれ、電荷に比例する電圧を発生する。ピクセル読取りの合間に、コンデンサは放電され、チップ上のあらゆるピクセルについてプロセスが繰り返される。読み出し中には、どのような露光からもアレイを遮蔽して、読み取られていないピクセル内での電荷生成を防がなければならない。
【００１０】
物理ピクセルのＣＣＤアレイを具備するＴＤＩ検出器では、ピクセルが読み出されるときＣＣＤアレイが依然として光にさらされている。物理ピクセルのアレイ上に映像が投影されることにより、ピクシレーション信号が生成される。一般に、読出しは１行ずつ、たとえばアレイの上部から下部にかけて行われる。第１の行が読み出された後で、残りの行内の信号ピクセルが、読み取られたばかりの行の方向に物理ピクセル１つだけシフトする。アレイ上に結像されている物体が信号ピクセルの運動と同期して移動する場合には、映像がぼけることなく、ＴＤＩ検出器の総読出し期間の間、物体からの光が積分される。ＴＤＩ検出器によって発生する信号強度は、積分期間と共に直線的に増加し、これは物理ＴＤＩピクセル行の数に比例するが、ノイズは積分期間の平方根として増加するだけであり、従来型ＣＣＤアレイに比べて、信号対雑音比（ＳＮＲ）が行数の平方根に等しい倍率だけ全体的に高まる。
【００１１】
本発明では、移動している可能性のある４つの主体がある。これらは、撮像される物体、検出器上に投影される物体の映像、検出器自体、および検出器上の映像によって生成されるピクシレーション信号を含む。物体と検出器間の任意の相対移動により、検出器を横切って映像が移動する。他の撮像方法と異なり、ＴＤＩ撮像は、測定が実施されている間に検出器の両端間でピクシレーション信号が移動することを必要とする。多くの場合に、物体の映像が検出器を横切って移動することが企図されている。しかし、ピクシレーション信号は、物体の映像と同期して移動しない可能性がある。本発明では、信号運動速度は、撮像される物体の様々なフィーチャを測定するために調整することができる制御可能パラメータである。信号は、映像より速く、またはより遅く、または異なる方向で移動させることができ、映像は、それ自体移動していることも、していないこともある。さらに、信号の移動は、測定中に動的に変化することができる。非同期の性質により、測定することができる１つの物体または複数の物体のフィーチャが部分的に決定される。
【００１２】
先の係属中出願に開示された物体のＴＤＩ撮像では、物体の映像がピクシレーション信号と同期して（同じ方向で、かつ同じ速度で）移動し、映像の各部を形成する光は、運動に関わらず、経時的にピクシレーション信号の同じ部分内で収集される。逆に、物体の映像がピクシレーション信号に対して非同期で（異なる速度で、かつ／または異なる方向で）移動した場合には、後で映像の各部を形成する光がピクシレーション信号の同じ部分内で収集されない。ＴＤＩ検出器上のピクシレーション信号の運動を映像の運動から故意に非同期化することにより、一時的に別個のピクシレーション信号が生成される。本発明では、この効果が、物体の運動によって形成される平面に対して検出器が傾斜することと結び付いて、物体内の様々な焦点位置から別個の映像を生成することができる。本発明では、ピクシレーション信号が映像と同期して移動するとき、ＦＩＳＨプローブによって生み出されるものなど点光源を識別するために使用することができる特徴的な信号強度プロフィルが生成される。
【００１３】
本発明の他の調整可能パラメータは、信号生成の連続性である。本発明のいくつかの実施形態では、物体からの信号が連続的に検出される。連続検出の例示的な応用例は、光を一定して放つ化学発光基質を含む細胞の撮像であろう。他の例は、検出器上で散乱、吸収、または蛍光映像を形成するように連続波レーザまたはアーク灯によって照明された細胞であろう。本発明の他の実施形態では、物体からの信号が不連続な形で検出される。たとえば、不連続検出は、検出器上で過渡的な散乱、吸収、または蛍光映像を形成するようにパルスレーザまたは変調レーザによって細胞を照明した場合に行われることになる。不連続検出の他の例は、化学発光細胞がシャッタ付きまたはゲート付きＴＤＩ検出器を介して撮像される場合となろう。信号連続性は、検出器平面の向きと信号読出しの同期を組み合わせて制御したとき、本発明の多数の実施形態や動作モードを生み出す。
【００１４】
本発明の前述の態様やそれに伴う多数の利点は、添付の図面と共に取り扱う場合に、以下の詳細な説明を参照することによってこれらがよりよく理解されたとき、より容易に理解できよう。
【００１５】
（好ましい実施形態の説明）
本発明は、従来技術で細胞および粒子分析のために使用されているシステムに優るかなりの利点を提供する。これらの利点は、ＴＤＩ検出器と組み合わせて光学分散系の本発明を使用し、ＴＤＩ検出器上で導かれる細胞および他の物体の映像に応答して出力信号を生成することから生まれる。複数の物体をＴＤＩ検出器上で同時に結像することができる。さらに、各物体の映像は、分析用に容易に入手可能なＴＤＩ検出器を使用して、吸収、散乱、反射、またはプローブ放射によりスペクトル分解し、物体のフィーチャを弁別することができる。
【００１６】
本発明は、光の散乱、反射、吸収、蛍光、燐光、ルミネセンスなどを含む光学信号を測定することにより、細胞および他の物体の形態学的、測光的、分光的特性を決定するために使用することができる。形態学的パラメータは、細胞核面積、周囲の長さ、テクスチャまたは空間周波数内容、重心位置、形状（丸形、楕円形、バーベル状など）、体積、およびこれらパラメータのいずれかの比を含む。また、本発明を用いて細胞の細胞質について同様なパラメータを決定することができる。本発明を用いた測光的測定は、細胞核の光学的密度、細胞質の光学的密度、背景の光学的密度、およびこれらの値のいずれかの比を決定することを可能にする。本発明を用いて撮像される物体は、光を放つように蛍光性または燐光性に刺激することができ、あるいは発光性とし、刺激することなく光を発生させることができる。それぞれの場合において、物体からの光は本発明のＴＤＩ検出器上で結像され、ＴＤＩ検出器の出力信号が分析され、放射光の存在および大きさ、光信号が発せられている細胞または他の物体内の離散的位置の数、信号源群の相対位置、ならびに物体内の各位置で放射された光の色（波長および波長帯）を決定する。
【００１７】
本発明を含む撮像システムの最初の応用例は、撮像システムを流通する流体内で連行された細胞について、１つまたは複数の上記のパラメータを決定するための細胞分析装置となる可能性が高い。しかし、本発明を他の種類の移動物体を撮像するために使用することができることもまた理解されたい。
【００１８】
本発明は、その明細書および図面を参照により本明細書に明確に組み込む本願の譲受人に譲渡された同時係属特許出願（第０９／４９０，４７８号および第０９／５３８，６０４号を含む）に開示されている様々な撮像システム実施形態に関連して代替の検出器構成および動作モードに関する。便宜上、本発明の様々な実施形態がどのように実施されるかを読者がよりよく理解することを可能にするその開示の一部分にアクセスすることを容易にするために、上記出願の第１のものの一部分を以下に再現する。しかし、本発明は、上記で参照した出願に開示されている他の撮像システム構成（本明細書で具体的に論じない）、ならびに関連構成の他の撮像システムを用いて実施することができることが理解されよう。
【００１９】
後述する本発明の好ましい実施形態を実施するのに適した撮像システム２０の第１の例示的構成を、撮像システムを介して流体流２２によって搬送される細胞など移動物体の映像を生成することに関連して、図１Ａ−１Ｃに略図で示す。図１Ａでは、流体流２２が物体２４（細胞など、ただし別法では異なる種類の小さな粒子）を連行し、撮像システムを介して物体を搬送する。図１Ａの流体流の方向は紙面に向かう（または紙面から出る）ものであり、一方図１Ｂ−１Ｃでは、流体流の方向が、図の左側の矢印によって示すように上部から下部である。物体２４からの光３０は、光を集める集光レンズ３２ａおよび３２ｂを通過し、集められた光３４を生成するが、これはおよそ無限大で集束する、すなわち集められた光の放射線は概ね平行である。集められた光３４は分散要素３６に入り、分散要素３６は光を分散して分散光３８を生成する。次いで、分散光は撮像レンズ４０ａおよび４０ｂに入り、ＴＤＩ検出器４４上に光４２が集束される。この文献全体を通じて使用されているように、ＴＤＩ検出器は、一般に異なる位置で配向することができ、そのため、ＴＤＩ検出器に適用される用語「行」および「列」、「上」および「下」、「左」および「右」は、各例示に関して意味を有するだけであるが、特許請求の範囲に関して制限するものではないことに留意されたい。
【００２０】
図に示すように、撮像システム２０は、任意選択でシャッタ４１またはゲート付きイメージ増倍管４３を含むことができる。これらの例では、ＴＤＩ検出器４４上に向く不連続映像を生成するために、シャッタ４１またはゲート付きイメージ増倍管４３を使用して、ＴＤＩ検出器上に向けて送られる光をさえぎり、したがって検出器のシステムによって生成される映像の形成をさえぎる。一般に、シャッタ４１は、物体２４と集光レンズ３２ａおよび３２ｂとの間、または撮像レンズ４０ａおよび４０ｂとＴＤＩ検出器４４の間を含めて、光路に沿ってどこにでも配置することができる。例示的な代替配置を、シャッタ４１’によって図に示す。ゲート付きイメージ増倍管４３を撮像レンズとＴＤＩ検出器の間に配置することが好ましいが、光学技術分野の当業者なら理解できるように、この例示的配置は制限するものではない。以下、本発明におけるシャッタ４１およびゲート付きイメージ増倍管４３の使用のさらに詳細について述べる。
【００２１】
図１Ｂを参照すると、図が経時的に物体２４を撮像することを示すと仮定した場合に、物体が流体流２２と共に移動するとき、その物体が位置２６と位置２８で共に示されている。その結果、物体２４の映像が、図１Ｂの右側で示すように２つの離散的空間位置２６’および２８’で検出器上に生成されることになる。あるいは、図１Ｂが時間の一瞬を示していると仮定した場合に、位置２６および２８は、位置２６’および２８’で検出器上に同時に結像される２つの別個の物体の位置を表す。
【００２２】
撮像システム２０、および本明細書に示されている他の撮像システムすべてについて、図のレンズと他の光学要素は、比較的単純な形態で示されているだけであることを理解されたい。したがって、集光レンズは、集光レンズ３２ａおよび３２ｂだけを含む複合レンズとして示されている。別法として、より単純な、またはより複雑な様々な設計のレンズ要素を、撮像システムを構築する際に使用して、当業者なら理解できるように所望の光学性能を実現することができる。撮像システム内で使用される実際のレンズまたは光学要素の単純度または複雑度は、その撮像システムが使用される撮像応用例の特定のタイプに応じて決まることになる。さらに、プリズム３６など光分散要素を含まない撮像システムもまた、本発明を実現するために実施することができることに留意されたい。
【００２３】
撮像される物体と撮像システムの間に相対移動があることを理解されたい。大抵の場合には、物体を移動することのほうが撮像システムを移動するより好都合となる。しかし、いくつかの場合に、物体を静止させたままとすることができ、それに対して撮像システムを移動することもまた企図されている。他の別法として、撮像システムも物体も運動しているが、異なる方向で、または異なる速度とすることができる。
【００２４】
本発明の様々な実施形態で使用されるＴＤＩ検出器は、後述するように、専門のピクセル読出しアルゴリズムを使用する方形の電荷結合素子（ＣＣＤ）を具備することが好ましい。非ＴＤＩのＣＣＤアレイは、カメラ内で２Ｄ撮像用として一般に使用されている。標準的なＣＣＤアレイでは、ピクセル上に入射する光子が、ピクセル内でトラップされる電荷を発生する。各ピクセルからの光子電荷は、電荷を１つのピクセルから次のピクセルにシフトさせ、次いで電荷を出力コンデンサに移動することによって検出器アレイから読み出され、電荷に比例する電圧を発生する。ピクセル読取りの合間に、コンデンサは放電され、チップ上の連続するピクセルについてプロセスが繰り返される。読み出し中には、どのような露光からもアレイを遮蔽して、読み取られていないピクセル内での電荷生成を防がなければならない。
【００２５】
ＣＣＤアレイを具備する１つのタイプのＴＤＩ検出器４４では、ピクセルが読み出されるときＣＣＤが依然として光にさらされている。読出しは、アレイの上部から下部に向かって１行ずつ行われる。第１の行が読み出された後で、残りの行が、読み取られたばかりの行の方向に（行に向かって）ピクセル１つだけシフトする。アレイ上に結像されている物体がピクセルの運動と同期して移動する場合には、映像がぼけることなく、ＴＤＩ検出器の総読出し期間の間、物体からの光が積分される。ＴＤＩ検出器によって発生する信号強度は、積分期間と共に直線的に増加し、これはＴＤＩ行数に比例するが、ノイズは積分期間の平方根として増加するだけであり、ＳＮＲが行数の平方根に等しい倍率だけ全体的に高まる。本発明において使用するのに適したＴＤＩ検出器の１つは、Ｄａｌｓａ Ｃｏｒｐ．のＴｙｐｅ ＩＬ−Ｅ２イメージセンサであるが、あるいは他の等価の、またはよりよいイメージセンサを使用することができる。Ｄａｌｓａイメージセンサは、それぞれが５１２ピクセルを含む段または行９６本を有するが、本発明で使用可能な他のタイプのイメージセンサは、異なる行列構成または非直線構成のピクセルを有することができる。Ｄａｌｓａセンサは、従来型ＣＣＤアレイの約９６倍の感度、ほぼ１０倍のＳＮＲを有する。ＴＤＩ検出に伴う延長された積分時間もまた、時間的、空間的照明変動を平均化するように働き、測定の一貫性を高める。
【００２６】
撮像システム２０では、また流体流を使用して撮像システムを介して物体を搬送する、本明細書で述べる他の例示的撮像システムでは、流通キュベットまたはマイクロキャピラリ（図示せず）に、分析される細胞または他の物体を容れる。流体の速度および細胞濃度は、注射器用ポンプ、ガス圧力、または他の汲上げ方法（図示せず）を使用して制御し、ＴＤＩ検出器のピクセル読出し速度と一致するようにシステムを介してサンプル溶液を流すことができる。しかし、ＴＤＩ検出器の読出し速度は、必要に応じて選択的に制御し、サンプル溶液の運動と一致させることができることを理解されたい。
【００２７】
様々な光学倍率を使用して、ＴＤＩ検出器の光感応性領域（ピクセル）上に結像中の物体の所望の解像度を達成することができる。大抵の実施形態では、光学倍率が１：１から５０：１の範囲内に入ることになり、物体の映像が形成されるＴＤＩ検出器上で、光感応性領域の数のかなりの範囲を実現する。領域の数はまた、撮像される物体の実際のサイズと、撮像システムからのその距離に応じて決まる。本発明は、細胞および他の微細な物体の分析から恒星物体の撮像にわたる技術に応用例を有すると考えられている。
【００２８】
本発明はＣＣＤタイプのＴＤＩ検出器に制限されないことを強調すべきである。別法として、他のタイプのＴＤＩ検出器、たとえば相補型金属酸化膜半導体（ＣＭＯＳ）およびマルチチャネルプレート撮像デバイスを、本発明のＴＤＩ検出器に使用することができる。デバイスに向けて送られた放射に応答して発生する信号を、制御された形でデバイスを介して移動させることができるピクシレーションデバイス（多数の光感応性領域を有するデバイス）なら、本発明のＴＤＩ検出器として使用するのに適していることを理解することが重要である。一般に、信号は、デバイス上に投影された移動する映像と同期して移動し、それによってぼけを引き起こすことなく、その映像について積分時間を増大する。しかし、信号の運動は、所望の効果を達成するために必要とされるように、放射映像の運動から選択的に非同期化することができる。
【００２９】
（第１の好ましい実施形態）
第１の好ましい実施形態によれば、ＴＤＩクロック動作が物体の映像の運動と同期し、信号が連続検出され、ＴＤＩ検出器が、物体の運動軸に対して傾斜した平面内で配向されている。そのような構成を図２に示し、物体運動軸１５０に対して傾斜角度φで傾いているＴＤＩ検出器１４８を含む。物体１５２は物体運動軸１５０に沿って移動しており、撮像レンズ１５４によってＴＤＩ検出器１４８上で撮像される。検出器平面の傾斜は、図に示すように傾斜した焦点面１５６を生み出す。この構成では、異なる時間で取り扱う測定は、物体内の異なる焦点面を有することになる。しかし、第１の好ましい実施形態は同期クロック動作と連続検出を使用しているために、単一の映像だけが形成される。傾斜した検出器を伴う同期クロック動作は、検出器が運動軸に平行であるときと異なるクロック周波数を必要とする。検出器平面と運動軸間の所与の角度φについて、物体運動軸内で検出器信号Ｖｓの予測される速度は、
【００３０】
【数１】
2004507743.tif 000003
【００３１】
である。したがって、傾斜した検出器は、同期動作を維持するためにわずかに高いＴＤＩクロックレートを必要とする。
【００３２】
本発明のこの第１の好ましい実施形態では、ＴＤＩ検出器が、連続信号検出と共に同期モードで動作する。この実施形態では、ＴＤＩ検出器出力信号が、ＴＤＩ検出器を横切って映像が横断する期間全体の間に連続監視される。ＴＤＩ検出器の傾斜により、撮像光学系の焦点面がＴＤＩ検出器を横切って物体の映像を掃引し、ＴＤＩ検出器上で映像信号が連続して重なり合う。しかし、ＴＤＩ検出器が同期モードで動作しているために、重ね合わされた映像信号間に横方向のシフトはない。正味の効果は、映像信号を収集している間に物体を介した「焦点移動」に相当する。
【００３３】
焦点移動効果は、細胞内のＦＩＳＨプローブなど点発光源の検出を向上するために使用することができる。ＦＩＳＨ信号は、典型的には直径が１０ミクロンである細胞核内のどこでも発せられる可能性がある。典型的な細胞撮像システムの焦点深度が１ミクロン未満であるために、ＦＩＳＨ信号は、単一映像の焦点面の十分外側に位置する可能性がある。第１の好ましい実施形態は、連続検出を使用するシステムからの単一の複合映像の分析を介して、そのような信号の検出を単純化することができる。
【００３４】
焦点面の外側にある点発光源は、急勾配で傾斜しない強度プロフィルを有する広い発光領域を生じ、点発光源を検出／計数することを困難にする。細胞を介して焦点移動（ｒａｃｋｉｎｇ ｆｏｃｕｓ）することにより、その細胞内のＦＩＳＨ信号がすべて焦点面を通過し、細胞内のＦＩＳＨプローブの元の位置に関わらず、得られる映像内でピーク強度プロフィルを獲得することになる。この点を、図３Ａ、３Ｂ、３Ｃによって示す。図３Ａは、傾斜した焦点面１７２に対するＦＩＳＨスポット１７０（細胞５８内のＦＩＳＨプローブを撮像することによって生成）の位置を経時的に示し、撮像システムの光学軸に直交する配景から描画されている。図３Ｂは、撮像システムの光学軸に沿った配景からのＴＤＩ検出器１４８の図である。傾斜焦点面１７０が細胞５８に入るとき、ＴＤＩ検出器１４８は、ＦＩＳＨスポット１７０のぼけた映像１７４を検出する。ＦＩＳＨスポット１７０が傾斜焦点面１７２に近づくにつれて、ＴＤＩ検出器１４８上のＦＩＳＨスポットの対応する映像１７４は、ぼけが少なくなる。映像は移動する細胞と同期して連続検出されるために、映像１７４は、映像１７４内のＦＩＳＨスポット１７０のサイズおよび強度の勾配変化を反映することになる。ただし、図が見やすいように、各映像１７４は、離散時間ｔ１からｔ５で、離散サイズと離散強度レベルと共に示されている。ＦＩＳＨスポット１７０が傾斜焦点面１７２を通過するとき（時間ｔ３）、映像サイズが最小に達する。その後、ＦＩＳＨスポット１７０は焦点面から遠ざかり、ＴＤＩ検出器１４８の次第に大きくなる領域の上でその映像を拡大する。
【００３５】
図３Ｃは、この好ましい実施形態によって生成された複合映像の特徴的な逆２乗強度プロフィルを示す。映像１７４によって生成された信号は、ＦＩＳＨスポット１７０が傾斜焦点面１７２に近づくにつれて、より小さい領域の上で広がるため、信号の強度プロフィルはより急勾配になり、焦点面と交差するとき最大勾配を達成する。プロフィルの高く鋭いピークは、閾値アルゴリズムによってより容易に認識される一方、プロフィルの特徴的な逆２乗勾配は、ＦＩＳＨプローブ信号を映像アーチファクトまたはノイズから区別するためにサインとして使用することができる。
【００３６】
（第２の好ましい実施形態）
第１の好ましい実施形態と同様に、第２の好ましい実施形態は、物体の見かけの運動軸に対して角度φで傾斜しているＴＤＩ検出器を使用する。しかし、第１の実施形態と異なり、第２の好ましい実施形態では、信号検出が不連続である。不連続検出は、パルスレーザまたは他のタイプのパルス光源もしくはストロボ光源を使用して物体を照明した結果として行うことができる。撮像される物体が化学発光性である場合、または、連続光源によって照明されている物体など、何らかの他の理由で物体からの光が連続している場合には、図１Ａ−１Ｃでシャッタ４１およびゲート付きイメージ増倍管４３を参照しながら上述したように、物体と検出器の間でシャッタまたはゲート付きイメージ増倍管を使用し、不連続検出を生み出すことができる。
【００３７】
また、第１の好ましい実施形態と異なり、第２の好ましい実施形態におけるＴＤＩ検出器からの信号読出しは、物体の映像がＴＤＩ検出器上に投影されている時間の少なくとも一部の間、ピクシレーション信号の速度が映像の速度と異なるように非同期である。信号速度と映像速度間の差は、映像の位置と検出器信号間で経時的に発散を引き起こす。第２の実施形態の非同期動作モードが３つある。第１の動作モードでは、ピクシレーション信号が、ＴＤＩ検出器を横切って映像の移動より速くクロックされる。第２の動作モードでは、ピクシレーション信号が、ＴＤＩ検出器を横切って映像の移動より遅くクロックされる。また第３の動作モードでは、ＴＤＩ検出器が画像の移動と擬似同期して動作する。擬似同期動作時には、ピクシレーション信号が映像と同期してクロックされて信号積分時間を延ばし、検出器上で映像をピクシレーション信号から分離するために使用される非同期クロック動作の期間がそれに続く。
【００３８】
運動軸に対して傾斜のないＴＤＩ検出器の最も単純な場合には、映像と信号がピクセル１行だけ発散するのに必要とされる時間Ｔｐが、
【００３９】
【数２】
2004507743.tif 000004
【００４０】
によって定義され、上式で、検出器を横切る映像の速度はＶｉ、ＴＤＩ検出器信号の速度はＶｓ、ピクセル高さはＰである。２つの速度は、反対方向である可能性があることに留意されたい。傾斜した検出器の場合には、検出器信号の速度Ｖｓが、式（１）の予測される速度Ｖｓ’に置き換えられ、
【００４１】
【数３】
2004507743.tif 000005
【００４２】
のようになる。
【００４３】
非同期動作中のＴＤＩ検出器上での信号と映像の発散は、第２の好ましい実施形態によって、経時的に単一の物体の独立した映像群を集めることを可能にする。このシステムの時間分解能は式（３）によって支配され、また映像高さの関数である。物体の映像がＴＤＩ検出器上でピクセルＮ個の高さであるとき、２つの連続する映像の重畳を防ぐのに必要とされる時間は、
【００４４】
【数４】
2004507743.tif 000006
【００４５】
である。
【００４６】
第２の好ましい実施形態を動作させるこのモードでは、ＴＤＩ検出器の非同期読出しによって生み出される信号速度と映像速度間の差に関わらず、不連続検出を使用して、映像取得スループットを高め、映像のぼけを防止する。映像の完全性は、映像と信号がＴＤＩ検出器上で１ピクセルだけ発散するのに必要とされる時間であるＴｐ未満に物体の検出時間を制限することによって保存される。検出期間の制御は、照明の期間を制御することによって達成することが好ましい。連続して光を放つ物体の場合には、ＴＤＩ検出器にシャッタを設け、Ｔｐ未満の時間の間、物体からの光にさらす。検出期間の後で、後続の検出期間は、映像と信号が映像高さ以上の距離だけ検出器上で発散するまで遅延される。このようにして、物体の複数のぼけていない映像を連続して速く検出することができる。各検出期間後に完全に読み出さなければならないフレームモード検出器と比べて、第２の実施形態により、映像高さに対する検出器高さの比にほぼ等しい倍率だけ高速で映像を取得することができる。
【００４７】
図４Ａ−４Ｆは、第２の好ましい実施形態の第１の動作モードを時間列で例示したものに対応する複数の時間フレームを含む。第１の時間フレーム６４では、細胞５８の照明６２が、第１の映像７６をＴＤＩ検出器４４上のピクセル１個だけ移動させるのにかかる時間未満に制限され、第２の時間フレーム６６の前で停止する。第２の時間フレーム６６では、第１の映像によって生成された第１の信号７８は、１ピクセルの映像移動についてＴＤＩ検出器上で４ピクセルの信号移動の速度比で、ＴＤＩ検出器４４をクロックで下る。第３の時間フレーム６８では、第１の信号７８がＴＤＩ検出器４４上で細胞５８の位置から発散し、照明６２が一時的に復元され、第２の映像８０を生成する。照明は第４のフレーム７０までに再び停止し、一方、第１の信号７８と、第２の映像８０に応答して生成された第２の信号８２とは、発散が映像高さを再び超えるまで検出器を下に伝播する。このプロセスが続行し、第５および第６の時間フレーム７２および７４に対応する、図４Ｅおよび４Ｆの第３の映像８４および第３の信号８６によって示すように、視界内にある細胞について異なる時間で多数の映像信号を生成する。
【００４８】
図５Ａ−５Ｆを参照すると、第２の実施形態の第２の動作モードに従って生成された複数の時間フレーム８８、９０、９２、９４、９６、９８が示されている。このモードでは、信号のクロックレートが細胞の速度より高い図４Ａ−４Ｆとは対照的に、細胞５８の速度がＴＤＩ検出器４４からの信号のクロックレートより高い。映像７６、８０、８４がＴＤＩ検出器に入射し、対応する信号７８、８２、８６を生成する。他の点では、システムの動作は、図４Ａ−４Ｆを参照しながら上述したものと比較可能である。第２の好ましい実施形態の第３の動作モードについては例示しない。
【００４９】
第２の好ましい実施形態における検出器の傾斜は、各離散映像を物体内の異なる焦点面で位置付ける。次いで、物体を横切って異なる焦点面で測定された２Ｄ映像を物体の３Ｄ表現に再構築することができる。図６Ａおよび６Ｂは、第２の好ましい実施形態のこの態様を示す。図６Ａは、経時的な細胞核１５８の流路の図であり、撮像システムの光学軸に直交する方向で見ている。細胞核１５８は、様々な時間で傾斜焦点面１６４から様々な距離で配置された２つのＦＩＳＨプローブ１６０および１６２を含む。図６Ｂは、撮像システムの光学軸に沿って見たＴＤＩ検出器１４８の図である。図６Ｂは、図６Ａに示された傾斜焦点面１６４に対して細胞核１５８の様々な位置で撮影された、それぞれＦＩＳＨプローブ１６０および１６２の映像１６６および１６８を示す。映像１６６および１６８は、関心のあるフィーチャ、たとえばＦＩＳＨプローブ１６０および１６２が、検出器上で撮像されたとき焦点から外れて受けた映像拡大を例示している。細胞核１５８は３Ｄ物体であるため、細胞核によって含まれているＦＩＳＨプローブ１６０および１６２が同時に合焦される可能性は低い。傾斜したＴＤＩ検出器を使用することにより、細胞核１５８内の様々な焦点面で映像を集めることが可能になり、それにより、ＦＩＳＨプローブ間の３Ｄ空間関係を解像することができる。
【００５０】
上記の考察から、様々な焦点面で信号を検出するためにＴＤＩ検出器を傾斜させる概念は、上記で参照した特許出願に含まれていた本発明の開示された好ましい実施形態のどれにも適用することができ、上記で述べた実施形態に制限されないことが当業者には明らかになろう。したがって、本発明は、ＴＤＩ検出器が物体を撮像するために使用される多数の応用例に広く適用可能である。
【００５１】
以上本発明について、それを実施する好ましい形態と共に述べたが、以下の特許請求の範囲内で多数の修正を加えることができることを、当業者なら理解するであろう。したがって、本発明の範囲は上記の説明によって決して制限されるものではなく、特許請求の範囲を参照することによって全体的に決定される。
【図面の簡単な説明】
【図１Ａ】流体流によって搬送される粒子がＴＤＩ検出器上で撮像される、本発明の実施に適した例示的な撮像システムの平面図である。
【図１Ｂ】流体流によって搬送される粒子がＴＤＩ検出器上で撮像される、本発明の実施に適した例示的な撮像システムの立面図である。
【図１Ｃ】流体流によって搬送される粒子がＴＤＩ検出器上で撮像される、本発明の実施に適した例示的な撮像システムの等角投影図である。
【図２】視野を横断する物体の運動によって画定される平面に対して光学系内のＴＤＩ検出器平面を傾斜させることの焦点位置決め効果を示す図である。
【図３Ａ】物体が連続的に検出され、物体の映像から生成される信号群が同期してクロックされ、物体の奥行きを跨ぐ複数の異なる焦点面からの情報を含む複合映像を生成する、第１の実施形態の動作を示す経時的な図である。
【図３Ｂ】物体が連続的に検出され、物体の映像から生成される信号群が同期してクロックされ、物体の奥行きを跨ぐ複数の異なる焦点面からの情報を含む複合映像を生成する、第１の実施形態の動作を示す経時的な図である。
【図３Ｃ】第１の実施形態によって撮像された点発光源の特徴的な強度プロフィルを示す図である。
【図４Ａ】ピクシレーション検出器信号が、ＴＤＩ検出器の上の映像移動より速くクロックされる不連続撮像を示す経時的な物体映像である。
【図４Ｂ】ピクシレーション検出器信号が、ＴＤＩ検出器の上の映像移動より速くクロックされる不連続撮像を示す経時的な物体映像である。
【図４Ｃ】ピクシレーション検出器信号が、ＴＤＩ検出器の上の映像移動より速くクロックされる不連続撮像を示す経時的な物体映像である。
【図４Ｄ】ピクシレーション検出器信号が、ＴＤＩ検出器の上の映像移動より速くクロックされる不連続撮像を示す経時的な物体映像である。
【図４Ｅ】ピクシレーション検出器信号が、ＴＤＩ検出器の上の映像移動より速くクロックされる不連続撮像を示す経時的な物体映像である。
【図４Ｆ】ピクシレーション検出器信号が、ＴＤＩ検出器の上の映像移動より速くクロックされる不連続撮像を示す経時的な物体映像である。
【図５Ａ】ピクシレーション検出器信号が、ＴＤＩ検出器の上の映像移動より遅くクロックされる不連続撮像を示す経時的な物体映像である。
【図５Ｂ】ピクシレーション検出器信号が、ＴＤＩ検出器の上の映像移動より遅くクロックされる不連続撮像を示す経時的な物体映像である。
【図５Ｃ】ピクシレーション検出器信号が、ＴＤＩ検出器の上の映像移動より遅くクロックされる不連続撮像を示す経時的な物体映像である。
【図５Ｄ】ピクシレーション検出器信号が、ＴＤＩ検出器の上の映像移動より遅くクロックされる不連続撮像を示す経時的な物体映像である。
【図５Ｅ】ピクシレーション検出器信号が、ＴＤＩ検出器の上の映像移動より遅くクロックされる不連続撮像を示す経時的な物体映像である。
【図５Ｆ】ピクシレーション検出器信号が、ＴＤＩ検出器の上の映像移動より遅くクロックされる不連続撮像を示す経時的な物体映像である。
【図６Ａ】ＴＤＩ検出器平面に対して細胞内に異なる奥行きで位置する２つの点発光源の位置を示す経時的な図である。
【図６Ｂ】第２の実施形態によって撮像されている細胞内に異なる奥行きで位置する２つの点発光源の特徴的な映像を示す図である。
【図１Ａ】
2004507743.tif 000007
【図１Ｂ】
2004507743.tif 000008
【図１Ｃ】
2004507743.tif 000009
【図２】
2004507743.tif 000010
【図３Ａ】
2004507743.tif 000011
【図３Ｂ】
2004507743.tif 000012
【図３Ｃ】
2004507743.tif 000013
【図４Ａ】
2004507743.tif 000014
【図４Ｂ】
2004507743.tif 000015
【図４Ｃ】
2004507743.tif 000016
【図４Ｄ】
2004507743.tif 000017
【図４Ｅ】
2004507743.tif 000018
【図４Ｆ】
2004507743.tif 000019
【図５Ａ】
2004507743.tif 000020
【図５Ｂ】
2004507743.tif 000021
【図５Ｃ】
2004507743.tif 000022
【図５Ｄ】
2004507743.tif 000023
【図５Ｅ】
2004507743.tif 000024
【図５Ｆ】
2004507743.tif 000025
【図６Ａ】
2004507743.tif 000026
【図６Ｂ】
2004507743.tif 000027
【国際公開パンフレット】
2004507743.tif 000028
2004507743.tif 000029
2004507743.tif 000030
2004507743.tif 000031
2004507743.tif 000032
2004507743.tif 000033
2004507743.tif 000034
2004507743.tif 000035
2004507743.tif 000036
2004507743.tif 000037
2004507743.tif 000038
2004507743.tif 000039
2004507743.tif 000040
2004507743.tif 000041
2004507743.tif 000042
2004507743.tif 000043
2004507743.tif 000044
2004507743.tif 000045
2004507743.tif 000046
2004507743.tif 000047
2004507743.tif 000048
2004507743.tif 000049
2004507743.tif 000050
2004507743.tif 000051
2004507743.tif 000052
2004507743.tif 000053
2004507743.tif 000054
2004507743.tif 000055
【国際公開パンフレット（コレクトバージョン）】
2004507743.tif 000056
2004507743.tif 000057
2004507743.tif 000058
2004507743.tif 000059
2004507743.tif 000060
2004507743.tif 000061
2004507743.tif 000062
2004507743.tif 000063
2004507743.tif 000064
2004507743.tif 000065
2004507743.tif 000066
2004507743.tif 000067
2004507743.tif 000068
2004507743.tif 000069
2004507743.tif 000070
2004507743.tif 000071
2004507743.tif 000072
2004507743.tif 000073
2004507743.tif 000074
2004507743.tif 000075
2004507743.tif 000076
2004507743.tif 000077
2004507743.tif 000078
2004507743.tif 000079
2004507743.tif 000080
2004507743.tif 000081
2004507743.tif 000082
2004507743.tif 000083
2004507743.tif 000084